(57)【要約】【課題】環状（リング状）にした鋼（はがね）の先端部に鋭利な刃を付け、これを持手の一端又は両端に着脱可能にして取り付けるか、又は固定して剃刀（かみそり）にした「ひげそり用具」を提供する。【解決手段】、（イ）、円形又は楕円形にした鋼をリング状にして、その先端部分に刃を付け、末端部の鋼を密着して、持手の一端に挿入固定する。（ロ）、（イ）と同様の手法で、持手両端部に、リング状鋼を挿入固定する。（ハ）、リング状鋼の先端部に刃を付け、末端部の鋼を密着して、持手の一端に挿入し、固定環を透設して固定する。（ニ）、（ハ）と同様の手法で、持手両端部にリング状鋼を挿入し、固定環によって、固定する。（ホ）、円形又は楕円形にした鋼の、円曲部分に刃を付け、末端部を任意の間隔をあけて、持手端部に挿入、固定する。（ヘ）、持手と鋼部に、所望の角度をつける場合は、挿入時に所望の角度をつけて、挿入すればよい。  以上の構成を特徴とする、「ひげそり用具」。【選択図】図２
2005237923.tif 000002
【特許請求の範囲】
【請求項１】
環状（リング状）にした、鋼（はがね）の先端部に刃を付け、当該鋼（はがね）の根元部分を、持手端部に固定して、剃刀（かみそり）にした、「ひげそり用具」。
【請求項２】
環状（リング状）にした、鋼（はがね）の先端部に刃を付け、当該鋼（はがね）の根元部分を、持手両端部に固定して、剃刀（かみそり）にした、「ひげそり用具」。
【請求項３】
環状（リング状）にした、鋼（はがね）の先端部に刃を付け、当該鋼（はがね）の根元部分と持手の端部とを着脱可能にして、剃刀（かみそり）にした、「ひげそり用具」。
【請求項４】
環状（リング状）にした、鋼（はがね）の先端部に刃を付け、当該鋼（はがね）の根元部分と持手の両端部とを着脱可能にして、剃刀（かみそり）にした、「ひげそり用具」。
【請求項５】
半楕円形にした、鋼（はがね）の楕円部分に刃を付け、当該鋼（はがね）の根元部分を、持手端部に固定して、剃刀（かみそり）にした、「ひげそり用具」。
【発明の詳細な説明】
【技術分野】
【０００１】  この発明は、リング状の鋼（はがね）の一部に、鋭利な刃を付け、当該鋼（はがね）と持手の端部を固定するか、又は、着脱可能になるように取付けて「剃刀」（かみそり）にした、「ひげそり用具」に関するものである。
【背景技術】
【０００２】  国語辞典（辞海）によると、剃刀とは、「頭髪、ひげなどをそるのに用いる鋭利な刃物」であると記されている。
その変遷をみると、戦前（１９４５年）までは、和剃刀や、西洋剃刀が使用の主流であって、安全剃刀は、一部の人達が使用する、高級品であった。
往時には、生業としての剃刀鍛冶職人が存在していて、和剃刀、西洋剃刀等を製造していたが、文明の発展、技術の開発に伴い、従来からの、和剃刀、西洋剃刀等は、美容師、理容師等の専門技能者等が、使用する以外は、全んど使用されなくなり、一般家庭では、「使い捨て片刃剃刀」、「使い捨て安全剃刀」が主に使用されるようになった。
【発明の開示】
【発明が解決しようとする課題】
【０００３】  いわゆる剃刀である、「ひげそり用具」は、和剃刀→西洋剃刀→安全剃刀→使い捨て片刃剃刀→使い捨て安全剃刀、へと逐次、使用の主流が変遷してきている、その理由としては、次のとおりの問題点と欠点があったからである。
欠点、１、（和剃刀、西洋剃刀の場合）
（イ）、本格的な和剃刀、西洋剃刀は、重厚であり、且つ高価。
（ロ）、その刃先は、刀剣よりも鋭く、過まって剃り、よく皮膚を傷つける。
（ハ）、２〜３回剃ると、刃が鈍り、剃りづらくなるので、刃研ぎが必要である。
（ニ）、皮膚の凸凹部を剃るのに熟練を要する。
（ホ）、使用後、油布き等の手入れが必要。
（ヘ）、携帯には、重くて不便。
欠点、２、（安全剃刀の場合）
（イ）、重厚であり、且つ高価。
（ロ）、皮膚の凸部を剃るには、熟練を要する。
（ハ）、皮膚の凹部は剃れない。
（ニ）、替刃との脱着が不便で面倒くさい。
（ホ）、携帯には、重くて不便。
欠点、３、（使い捨て片刃剃刀の場合）
（イ）、皮膚の凸凹部を剃るのに熟練を要する。
（ロ）、過まって剃り、よく皮膚を傷つける。
欠点、４、（使い捨て安全剃刀の場合）
（イ）、剃る角度によっては剃れない場合がある。
（ロ）、凹部は剃れない。
以上の欠点があるため、剃り残し等が生じて見苦しい、女性の場合は美容院へ、男性の場合は理容院へ行き、ひげを剃ってもらうことになる。
【課題を解決するための手段】
【０００４】  本発明は、これ等の欠点を除くためになされたもので、これを図面にもとづいて説明する。【０００５】  図、１に於いて。
リング状鋼（はがね）１の先端部分２に刃を付け、当該鋼（はがね）１の根元部分３を上、下（前後、左右）に密着さして閉じ、これを持手４の端部６に挿入し、固定して成る、請求項１の「ひげそり用具」。【０００６】  図、２に於いて。
リング状鋼（はがね）１の先端部分２に刃を付け、当該鋼（はがね）１の根元部分３を上下に密着し、これを持手４の端部６に挿入して固定し、続いて、いま固定した持手４の反対側の端部６へ、既に付刃と密着の完了した、リング状鋼（はがね）１の根元３を挿入して固定すれば、持手４の両端部にそれぞれ、リング状鋼（はがね）が、固定して取付けられる。
以上の構成より成る、請求項２の「ひげそり用具」。【０００７】  図、３に於いて。
リング状鋼（はがね）１の先端部分２に刃の付いた、当該鋼（はがね）１の根元部分３を前、後（上下、左右）に密着し、それを持手４の端部６に挿入して、固定環５を持手４の中央部に向け、移動さすことによって、リング状鋼（はがね）１は、持手４に固定される、またリング状鋼（はがね）１を取除す場合は、固定環５を、持手４の端部６の方向へ移動さして、ゆるめ、リング状鋼（はがね）１を取除せばよい、以上の構成より成る、請求項３の着脱自在の「ひげそり用具」。【０００８】  図、４に於いて。
リング状鋼（はがね）１の先端部分２に刃を付け、当該鋼（はがね）１の根元部分３を密着した、リング状鋼（はがね）１を持手４の端部６に挿入し、固定環５を持手４の中央部へ押込んで、リング状鋼（はがね）１と持手４を固定する、続いて、いま固定した持手４の反対側の端部６へ、既に付刃と密着の終了したリング状鋼（はがね）１を挿入し、固定環５を持手４の中央部へ押上げれば、持手４の両端部６に、それぞれリング状鋼が取り付けられる。
またこれを取はずす場合は、持手４の両端部６を締付けてある、固定環５を持手４の両端部６へ移動してゆるめれば、リング状鋼１は楽にはずれる。
以上の構成より成る請求項４の着脱可能な「ひげそり用具」。【０００９】  図、５及び図、６に於いて。
半楕円形にした鋼（はがね）１の先端部分２に刃を付け、当該鋼（はがね）１の根元部分３を、任意の間隔を、あけて、持手４の端部６へ挿入し、固定して成る、請求項５の「ひげそり用具」。
【発明の効果】
【００１０】  従来からの、いはゆる剃刀は全て、直刃（刃が一方向に直線状に並んでいる状態）であって、これを使用する時は、軽く皮膚に刃を押当て、刃列（刃が一方向に並んでいる状態）に対して、ほぼ直角方向に剃り下すか、剃り上げて、作動させることにより、「ひげ」を剃っていたが、過って、刃列方向に作動させると、必ず皮膚に切創ができた。【００１１】  本申請にかかる、「発明品」の使用方法も、基本的には、従来品と同じであるが、構造的には、円形又は楕円形の鋼（はがね）に沿って付刃してあるため、従来品と比べ次の利点がある。
（イ）、リング状先端部又は楕円形状に作られた、鋼（はがね）に付刃された刃先が、皮膚の弾力に合わせて、適当な軟らかさで、皮膚を押付けている。
（ロ）、押付けられた、皮膚表面の「ひげ」は、リング又は楕円形の輪郭方向に傾むく。
（ハ）、リング状又は楕円形状の刃は、皮膚の軽く凹んだ位置に在るため、「ひげ」をリング状又は楕円形状の鋼（はがね）の外へは逃がさない。
（ニ）、この状態で「本発明品」を作動させれば、（ロ）と（ハ）の「ひげ」を剃り落とすことができる。
（ホ）、過って、刃列方向（剃り上げ、剃り下げ方向に対して、左右の横方向）に作動させても、刃が円形又は楕円形の鋼（はがね）に沿って付けてあるため、切創はできない。
以上のとおり「本発明品」は、従来品の欠点を全て補完している。【００１２】  なお、本申請にかかる、特許請求項３、及び同特許請求項４の着脱可能な、「ひげそり用具」に於いては、リング状又は楕円形状鋼（はがね）の根元部分を持手端部に挿入する場合に、任意の角度をつけて挿入した後に、固定環を締付ければ、所望の角度に取付けられる。
【発明を実施するための最良の形態】
【００１３】  以下本発明の実施の形態について説明する。【００１４】  図、１に於いて。
厚み、０．１〜０．２ミリ、幅（高）２．５〜３．５ミリ、内経１０〜３０ミリのリング状鋼（はがね）１の先端部分２に、鋭利な刃を付け、鋼（はがね）の末端部である根元部分３の２枚の鋼（はがね）を密着さして、これを持手４の端部６の溝へ挿入し、接着剤を注入し、固定して成る、請求項１の「ひげそり用具」。【００１５】  図、２に於いて。
厚み、０．１〜０．２ミリ、幅（高）２．５〜３，５ミリ、内経１０〜３０ミリのリング状鋼（はがね）１の先端部分２に、鋭利な刃を付け、鋼（はがね）の末端部である、根元部分３の２枚の鋼（はがね）を密着さして、これを持手４の端部６の溝へ挿入し接着剤を注入して固定する、続いて、いま持手４の１端部６に固定した、反対側の端部６へ、前記と同じ要領で、新しくリング状鋼（はがね）１の根元部分３を持手４の端部６の溝へ挿入して、接着剤を注入すれば、持手４の両端部にリング状鋼（はがね）が固定される。
以上の構成より成る請求項２の「ひげそり用具」。【００１６】  図、３に於いて。
厚み、０．１〜０．２ミリ、幅（高）２．５〜３．５ミリ、内経１０〜３０ミリのリング状鋼（はがね）１の先端部分２に、鋭利な刃を付け、鋼（はがね）の末端部である根元部分３の２枚の鋼（はがね）を密着さして、これを持手４の端部６の溝へ挿入した後に、固定環５を持手４の中央方向へ押込んで、リング状鋼（はがね）１と、持手４を固定する。
また、リング状鋼（はがね）１と、持手４を、離す場合は、固定環５を持手４の端部６の方向へ移動させればよい。
以上の構成より成る、請求項３の着脱可能な「ひげそり用具」。【００１７】  図、４に於いて。
厚み０．１〜０．２ミリ、幅（高）２．５〜３．５ミリ、内経１０〜３０ミリのリング状鋼（はがね）１の先端部分２に、鋭利な刃を付け、鋼（はがね）の末端部である、根元部分３の鋼（はがね）を密着さして、これを持手４の端部６の溝へ挿入した後に、固定環５を持手４の中央方向へ押込んで、リング状鋼（はがね）１と持手４を固定する続いて、いま固定した持手４の一端部の反対側の端部６の溝へ、付刃と端部を密着したリング状鋼１の根元部分３を挿入し、固定環５を持手４の端部から、同中央方向へ押上げれば、リング状鋼１と持手４は固定できる、持手４の両端部に、リング状鋼（はがね）が、それぞれ固定された、着脱可能な「ひげそり用具」。【００１８】  図、５及び図、６に於いて。
厚み０．１〜０．２ミリ、内経１０〜３０ミリの半楕円形の鋼（はがね）１の先端部分２に鋭利な刃を付け、当該鋼（はがね）１の末端部分３を持手４の端部６の溝に挿入し、接着剤を注入して固定した、請求項５の「ひげそり用具」。【００１９】  なお、本申請にかかる、特許請求項３、及び同特許請求項４の着脱可能な「ひげそり用具」に於いては、リング状又は楕円形状鋼（はがね）１の根元部分３を、持手４の端部６の溝に挿入す場合に、任意の角度をつけて挿入し、固定環を締付ければ、所望の角度に取付けられる。
本発明は、以上のような構成で、これを実施する場合には、従来から使用されている安全剃刀（かみそり）と同様な使用方法でよい。
【図面の簡単な説明】
【００２０】
【図１】本発明の請求項１の斜視図
【図２】本発明の請求項２の斜視図
【図３】本発明の請求項３の斜視図
【図４】本発明の請求項４の斜視図
【図５】本発明の請求項５の平面図
【図６】本発明の請求項５の側面図
【符号の説明】
【００２１】    １、リング状はがね。
２、先端部分。
３、根元部分。
４、持手。
５、固定環。
６、端部。
【図１】
2005237923.tif 000003
【図２】
2005237923.tif 000004
【図３】
2005237923.tif 000005
【図４】
2005237923.tif 000006
【図５】
2005237923.tif 000007
【図６】
2005237923.tif 000008